(57)【要約】【課題】土圧に対する異方性を小さくできると共に、鉛直方向の強度を高くする。【解決手段】充填ブロック３０は、平板部３２及び４本の柱部３４Ａ〜３４Ｄを有している。平板部３２は、正方形板状とされている。各々の柱部３４は、平面視で正方形状とされ、穴３２Ｈの外周から立ち上がりつつ先端へ向って縦方向Ａ及び横方向Ｂに沿った寸法が序々に小さくなるテーパ状に形成されている。各々の柱部３４の頂面には頂板３６が設けられ、頂板３６の中央部には、円形の穴３６Ｈが構成されている。頂板３６のうち、対角線上に配置された頂板３６Ａ、３６Ｃの穴３６Ｈの外周には、頂板３６Ａ、３６Ｃの上面から突出する円筒部３６Ｅが形成されている。円筒部３６Ｅは、頂板３６Ａ、３６Ｃの穴３６Ｈに挿入可能な外径とされている。【選択図】図３
2012057441.tif 000002
【特許請求の範囲】
【請求項１】
正方形状とされた平板上に、この平板の各辺に沿って偶数本で同数の支柱が等間隔に立設された複数の充填ブロックが、水平方向に隣接する充填ブロックが互いに接するように配列されると共に、隣り合う上下方向の前記充填ブロックが互いに縦横に半幅ずれるように配列されて積層された積層充填ブロック群と、
前記充填ブロックを上面視で２分割した形状のハーフ充填ブロックが前記積層充填ブロック群の端辺に配列された端辺充填ブロック群と、
前記充填ブロックを上面視で４分割した形状のクォーター充填ブロックが前記積層充填ブロック群の角部に配列された角部充填ブロック群と、
を備えた雨水貯留槽充填構造。
【請求項２】
隣り合う上下方向の前記充填ブロックが前記支柱の頂面同士または前記平板同士が向き合うように配置されていること、を特徴とする請求項１に記載の雨水貯留槽充填構造。
【請求項３】
前記支柱の頂面及び前記平板の前記支柱が立設された側と逆側には、上下方向に積層される前記充填ブロック同士を連結させる連結部が形成されていること、を特徴とする請求項１または請求項２に記載の雨水貯留槽充填構造
【請求項４】
前記平板の前記支柱が立設された側には、補強リブが形成されていること、を特徴とする請求項１〜請求項３のいずれか１項に記載の雨水貯留槽充填構造。
【請求項５】
地面に形成された凹状のピットの内表面を覆うように敷設された遮水シートと、
前記遮水シートの内側に構築された請求項１〜４のいずれか１項に記載の雨水貯留槽充填構造と、
を有する雨水貯留槽。
【発明の詳細な説明】
【技術分野】
【０００１】
本発明は、雨水を貯留又は地中に浸透させる等のために用いられる雨水貯留槽、及び、雨水貯留槽を構成する雨水貯留槽充填構造に関する。
【背景技術】
【０００２】
近年、特に都市部や工場地帯での地層における保水力低下を補うために、地下に多量の雨水を貯留し、この雨水を序々に地層中へ浸透させる設備や、一旦、貯留した多量の雨水を十分な時間をかけて河川等へ放流する設備や、貯留した雨水を汲み上げて防火水等として使用する設備（これらの設備を包括して「雨水貯留槽」という。）などの開発が進んでいる。
【０００３】
このような雨水貯留槽としては、例えば、特許文献１に記載されたものが知られている。特許文献１には、基板上に９個の錐形枠体が等間隔で立設された錐体フルサイズブロックを並べて骨格構造体を構成する技術が開示されている。錐体フルサイズブロックは、積層される錐形枠体が、下側に隣接する錐形枠体と錐形枠体の間に配置された積層構造になっている。
【０００４】
しかしながら、このような積層構造では、荷重を鉛直方向に連続したブロックで受けることができないため、強度的に問題がある。
【先行技術文献】
【特許文献】
【０００５】
【特許文献１】特開２００７−７７５７４号公報
【発明の概要】
【発明が解決しようとする課題】
【０００６】
本発明は、上記事実を考慮して成されたものであり、異方性を低減すると共に、鉛直方向の強度の高い雨水貯留槽充填構造、及び、この雨水貯留槽充填構造を用いた雨水貯留槽を提供することを目的とする。
【課題を解決するための手段】
【０００７】
上記課題を解決するため、請求項１に係る雨水貯留槽充填構造は、正方形状とされた平板上に、この平板の各辺に沿って偶数本で同数の支柱が等間隔に立設された複数の充填ブロックが、水平方向に隣接する充填ブロックが互いに接するように配列されると共に、隣り合う上下方向の前記充填ブロックが、互いに縦横に半幅ずれるように配列されて積層された積層充填ブロック群と、前記充填ブロックを上面視で２分割した形状のハーフ充填ブロックが前記積層充填ブロック群の端辺に配列された端辺充填ブロック群と、前記充填ブロックを上面視で４分割した形状のクォーター充填ブロックが前記積層充填ブロック群の角部に配列された角部充填ブロック群と、を備えている。
【０００８】
請求項１に係る雨水貯留槽充填構造では、平板部が正方形状とされた充填ブロックが縦横に半幅ずれるように配列される。したがって、等間隔に立設された偶数本の支柱は、上下方向で支柱同士が重なり合うように配置される。これにより、鉛直方向に連続した支柱で荷重を受けることができ、鉛直方向の強度を高くすることができる。
【０００９】
充填ブロックは、上面からみて正方形状なので、土圧に対する異方性を低減することができる。
【００１０】
また、充填ブロックは、隣り合う上下方向で、互いに縦横に半幅ずれるように配列されて積層されているので、水平方向に隣り合う充填ブロック同士の連結部分が上下方向で分散される。したがって、連結部分が上下方向で同じ位置に配置されている場合と比較してモーメントの集中を抑制することができる。
【００１１】
また、本発明の雨水貯留槽充填構造を構成する、ハーフ充填ブロック及びクォーター充填ブロックは、充填ブロックを２分割または４分割した形状とされているので、簡易に製造することができる。
【００１２】
請求項２に係る雨水貯留槽充填構造は、隣り合う上下方向の前記充填ブロックが前記支柱の頂面同士または前記平板同士が向き合うように配置されていること、を特徴とする。
【００１３】
このように、上下方向の充填ブロックが向き合うように配置することにより、鉛直方向の強度を高くすることができる。
【００１４】
請求項３に係る雨水貯留槽充填構造は、前記支柱の頂面及び前記平板の前記支柱が立設された側と逆側には、上下方向に積層される前記充填ブロック同士を連結させる連結部が形成されていること、を特徴とする。
【００１５】
このように、充填ブロックに連結部を形成し、上下の充填ブロックを連結することにより、充填ブロックのずれを抑制することができる。
【００１６】
請求項４に係る雨水貯留槽充填構造は、前記平板の前記支柱が立設された側には、補強リブが形成されていること、を特徴とする。
【００１７】
このように、補強リブを形成することにより、平板の水平方向の強度を高くすることができる。
【００１８】
請求項５に係る雨水貯留槽は、地面に形成された凹状のピットの内表面を覆うように敷設された遮水シートと、前記遮水シートの内側に構築された請求項１〜３のいずれか１項に記載の雨水貯留槽充填構造と、を有する。
【００１９】
請求項６の雨水貯留槽によれば、請求項１〜３のいずれか１項に記載の雨水貯留槽充填構造が用いられているので、鉛直方向に連続した支柱で荷重を受けることができ、鉛直方向の強度を高くすることができる。
【発明の効果】
【００２０】
以上説明したように、本発明の雨水貯留槽充填構造によれば、異方性を低減すると共に、鉛直方向の強度を高くすることができる。
【図面の簡単な説明】
【００２１】
【図１】本発明の実施形態に係る雨水貯留浸透槽の構成を模式的に示す断面図である。
【図２】図１に示される雨水貯留槽における遮水保護層の構成を示す断面図である。
【図３】本発明の雨水貯留槽に用いられる充填ブロックの構成を示す（Ａ）は頂板側からみた斜視図であり、（Ｂ）は底板側からみた斜視図である。
【図４】本発明の雨水貯留槽に用いられるハーフ充填ブロックの構成を示す（Ａ）は頂板側からみた斜視図であり、（Ｂ）は底板側からみた斜視図である。
【図５】本発明の雨水貯留槽に用いられるクウォータ充填ブロックの構成を示す（Ａ）は頂板側からみた斜視図であり、（Ｂ）は底板側からみた斜視図である。
【図６】本実施形態の雨水貯留槽に用いられる雨水貯留槽充填構造体の第１段目の構成を示す斜視図である
【図７】本実施形態の雨水貯留槽に用いられる雨水貯留槽充填構造体の第２段目に積層される充填ブロックの位置を示す斜視図である
【図８】本実施形態の雨水貯留槽に用いられる雨水貯留槽充填構造体の第２段目に積層されるハーフ充填ブロックの位置を示す斜視図である
【図９】本実施形態の雨水貯留槽に用いられる雨水貯留槽充填構造体の第２段目に積層されるクォーター充填ブロックの位置を示す斜視図である。
【図１０】本実施形態の雨水貯留槽に用いられる雨水貯留槽充填構造体の第１、第２段目の構成を示す斜視図である
【図１１】本実施形態の雨水貯留槽に用いられる雨水貯留槽充填構造体の第１〜第３段目の構成を示す斜視図である
【図１２】本実施形態の雨水貯留槽に用いられる雨水貯留槽充填構造体の第３段目に積層される充填ブロックの位置を示す斜視図である
【図１３】本実施形態の雨水貯留槽に用いられる雨水貯留槽充填構造体を横方向からみた図である
【図１４】本発明の雨水貯留槽に用いられる充填ブロックの変形例の構成を示すは頂板側からみた斜視図である。
【発明を実施するための形態】
【００２２】
以下、本発明の実施形態に係る雨水貯留槽、雨水貯留槽充填構造を、図面に基づいて説明する。
【００２３】
（雨水貯留槽の構成）
【００２４】
図１には本発明の実施形態に係る雨水貯留槽が模式的に示されている。図１に示されるように、雨水貯留槽１０は地中Ｆに埋設されるものであり、その付帯設備として流入桝１２及び流出桝１４を備えている。
【００２５】
図１に示される雨水貯留槽１０を設置する際には、先ず、雨水を回収し、貯留する対象となる敷地の地表面から凹状のピットＰを掘り下げ、このピットＰの内表面を遮水保護層１６により隙間なく覆った後、遮水保護層１６により覆われたピットＰ内に略直方体状に形成された所定容積の雨水貯留槽充填構造１８を構築する。
【００２６】
次いで、雨水貯留槽充填構造１８の頂面側を遮水シート２０により隙間なく覆って、雨水貯留槽充填構造１８の外側を遮水保護層１６及び遮水シート２０により密封した後、雨水貯留槽充填構造１８が内部に配置されたピットＰを土により埋め戻して雨水貯留槽充填構造１８の上側を覆土層２２により覆う。なお、地下に雨水貯留槽１０が設置される敷地では、通常、地表面の大部分がコンクリート、アスファルト等の非浸水性の舗装材により覆われる。
【００２７】
敷地には、雨水貯留槽１０の周辺に鉄筋コンクリート等により容器状に形成された流入桝１２が埋設されると共に、雨水貯留槽１０に隣接して鉄筋コンクリート等により容器状に形成された流出桝１４が埋設される。流入桝１２は、例えば、敷地を所定の面積を有する複数の領域に区画し、その領域毎に流入桝１２を設置し、これらの流入桝１２にそれぞれ雨水が流れ込むようなっている。ここで、雨水貯留槽１０に最も近接した１個乃至複数個の流入桝１２は、通水管２４を通して他の流入桝１２に接続されている。これにより、敷地全体に降った雨水は、雨水貯留槽１０に最も近接した流入桝１２内に一旦、集水される。
【００２８】
流入桝１２は、その側壁部の下端寄りの部位に流入管２６の一端部が接続されると共に、側壁部における流入管２６との接続部の上側にオーバフロー管２８の一端部が接続されている。流入管２６の他端側は、遮水保護層１６を貫通して雨水貯留槽１０内へ連通し、またオーバフロー管２８の他端部は流出桝１４の側壁部の上端寄りの部位に接続されている。
【００２９】
流出桝１４は、その側壁部の下端部にオリフィス管２５の一端部が接続されると共に、側壁部の上端部にオーバフロー管２７の一端部が接続されている。オリフィス管２５及びオーバフロー管２７の他端部は、それぞれ河川、河川等へ繋がった通水管、排水用の暗渠、下水道等の排水経路に繋がっている。ここで、流出桝１４内には、雨水貯留槽１０からオーバフローした雨水が流れ込み、この雨水が一時的に貯留される。またオリフィス管２５は、流出桝１４内から排水経路へ流出する雨水の流量を制限するオリフィスとしての機能を有している。
【００３０】
遮水保護層１６は、図２に示されるように、外側保護マット１６Ａ、遮水シート２０及び内側保護マット１６Ｂからなる３層構造とされている。外側保護マット１６Ａ及び内側保護マット１６Ｂは、それぞれポリエステル短繊維を素材とし、十分な柔軟性を有する不織布により構成されている。外側保護マット１６Ａ及び内側保護マット１６Ｂは、それぞれ応力集中を緩和することにより、土圧及び雨水貯留槽充填構造１８の重量に起因する荷重から雨水貯留槽充填構造１８及び遮水シート２０を保護する。
【００３１】
雨水貯留槽１０の雨水貯留槽充填構造１８は、図３に示される充填ブロック３０を複数並べ、かつ積層した積層充填ブロック群６０を、メインの構造として構成されている。また、積層充填ブロック群６０の外周には、図４に示されるハーフ充填ブロック５０を複数並べ、かつ積層した端辺充填ブロック群６２、図５に示されるクォーター充填ブロック５２を複数並べ、かつ積層した角部充填ブロック群６４が配列されている。積層充填ブロック群６０、端辺充填ブロック群６２、及び、角部充填ブロック群６４の詳細については後述する。
【００３２】
（充填ブロックの構成）
【００３３】
充填ブロック３０の成形素材としては、ポリプロピレン（ＰＰ）、ポリエチレン（ＰＥ）（特に高密度ポリエチレン（ＨＤＰＥ））等のポリオレフィン系樹脂が化学的な安定性、機械的な強度、及び価格の面から好ましい。ここで、樹脂のメルトフローレート（ＭＦＲ）（ＪＩＳ  Ｋ７２１０）は、加工性及び機械的な強度を考慮して１０（Ｆ／１０分）〜１５（Ｆ／１０分）のものがよい。また、これらに充填剤としてカーボンブラックを１〜３％加えて耐光性を高めてもよい。なお、設置場所が高温になる場所ではないため、酸化防止剤は加えなくてもよい。
【００３４】
充填ブロック３０の肉厚は、製品１個当たりの重量及び機械的な強度等を考慮して２ｍｍ〜３ｍｍに設定されている。充填ブロック３０は、射出成形法などによって成形することができる。
【００３５】
図３（Ａ）、図３（Ｂ）に示されるように、充填ブロック３０は、平板部３２及び４本の柱部３４Ａ〜３４Ｄ（これらを包括して言う場合には、単に「柱部３４」という。）を有している。平板部３２は、正方形板状とされ（縦方向Ａの長さＳＡ及び横方向Ｂの長さＳＢが等しい）、縦方向Ａ及び横方向Ｂに２箇所ずつ等間隔に正方形状の穴３２Ｈが構成されている。
【００３６】
各々の柱部３４は、穴３２Ｈに対応する位置に設けられている。柱部３４は、平面視で正方形状とされ、穴３２Ｈの外周から立ち上がりつつ先端へ向って縦方向Ａ及び横方向Ｂに沿った寸法が序々に小さくなるテーパ状に形成されている。各々の柱部３４の頂面には頂板３６が設けられ、頂板３６の中央部には、円形の穴３６Ｈが構成されている。頂板３６のうち、対角線上に配置された頂板３６Ａ、３６Ｃの穴３６Ｈの外周には、頂板３６Ａ、３６Ｃの上面から突出する円筒部３６Ｅが形成されている。円筒部３６Ｅは、頂板３６Ａ、３６Ｃの穴３６Ｈに挿入可能な外径とされている。
【００３７】
平板部３２の柱部３４が突出されている面には、リブ３８が形成されている。リブ３８は、縦方向Ａ及び横方向Ｂに沿った直線状とされ、格子状に形成されている。リブ３８によって、平板部３２の強度が補強されている。また、平板部３２のリブ３８が形成されていない面には、平板部３２の面から突出された係合凸部３３Ａ、及び、平板部３２を貫通する係合孔３３Ｂが形成されている。係合凸部３３Ａ及び係合孔３３Ｂは、平板部３４の４つの穴３２を各々囲むように、穴３２の一辺に係合凸部３３Ａ及び係合孔３３Ｂが１つずつ形成されている。係合凸部３３Ａ及び係合孔３３Ｂは、穴３２の周りで交互に配置されるように配列されている。係合凸部３３Ａは、係合孔３３Ｂに嵌め込み可能とされている。
【００３８】
（ハーフ充填ブロックの構成）
【００３９】
図４に示されるように、ハーフ充填ブロック４０は、充填ブロック３０の横方向Ｂ（または縦方向Ａ）の中央で２分割した形状とされている。したがって、上面視で、ハーフ充填ブロック４０の横方向Ｂ（または縦方向Ａ）の寸法ＳＨは、充填ブロック３０の横方向Ｂ（または縦方向Ａ）の寸法の１／２となっている。
【００４０】
ハーフ充填ブロック４０は、柱部３４Ｃ、３４Ｂを備えると共に、平板部３２が２分割されている（以下２分割された平板部３２を「ハーフ平板部３２Ｈ」という）。
【００４１】
（クォーター充填ブロックの構成）
【００４２】
図５に示されるように、クォーター充填ブロック４２は、充填ブロック３０の縦方向Ａの中央で２分割すると共に横方向Ｂの中央でも２分割した４分割の形状とされている。したがって、上面視で、クォーター充填ブロック５２の縦方向Ａ及び横方向Ｂの寸法ＳＱは、充填ブロック３０の縦方向Ａの寸法及び横方向Ｂの寸法の１／２となっている。
【００４３】
クォーター充填ブロック４２は、柱部３４Ａ、または、柱部３４Ｂを備える２種類、即ち、頂板３６に円筒部３６Ｅが形成されているものと、そうでないものが使用される。以下、頂板３６に円筒部３６Ｅが形成されているものをクォーター充填ブロック４２Ａといい、頂板３６に円筒部３６Ｅが形成されていないものをクォーター充填ブロック４２Ｂという。クォーター充填ブロック４２は、平板部３２が４分割されている（以下４分割された平板部３２を「クォーター平板部３２Ｑ」という）。
【００４４】
（雨水貯留槽充填構造及び雨水貯留槽の構築方法）
【００４５】
次に、遮水保護層１６により内表面が覆われたピットＰ内に雨水貯留槽充填構造１８を構築する方法について説明する。先ず、作業者は、図６に示されるように、遮水保護層１６を介して充填ブロック３０をピットＰの底面上に配列する。このとき、充填ブロック３０の平板部３２が下側となり、隣り合う充填ブロック３０の柱部３４Ａ、３４Ｃが、柱部３４Ｂ、３４Ｄと隣接するように配列する。このとき、隣り合う充填ブロック３０は、互いに接するように、隙間なく配列する。そして、これらの充填ブロック３０によりピットＰの底面全体を覆う。これにより、雨水貯留槽充填構造１８の１段目が構成される。
【００４６】
次いで、図７に示されるように、作業者は、雨水貯留槽充填構造１８の第２段目となる複数個の充填ブロック３０を、第１段目の充填ブロック３０上に積み上げる。作業者は、充填ブロック３０の頂板３６が下側となり、第１段目を構成する複数個の充填ブロック３０に対して縦横に半幅ずれるように配列する。このとき、第１段目の最外周に配置される１列分の柱部３４上には位置しないようにし、第２段目の充填ブロック３０の頂板３６に形成された穴３６Ｈに第１段目の充填ブロック３０の円筒部３６Ｅが挿入され、第２段目の充填ブロック３０の頂板３６に形成された円筒部３６Ｅが第１段目の充填ブロック３０の穴３６Ｈに挿入されるようにして、上下の充填ブロック３０を係合させる。これにより、第２段目の１個の充填ブロック３０は、第１段目に配列された、隣接する４個の充填ブロック３０に係合される。上下方向の通水は、穴３６Ｈを介して行われるようになっている。上記のようにして、第２段目の充填ブロック３０も、隣り合う充填ブロック３０が、互いに接するように、隙間なく配列する。
【００４７】
次いで、図８に示されるように、作業者は、ハーフ充填ブロック４０を、第１段目の充填ブロック３０の最外周の端辺部上に配置する。このとき、第１段目を構成する複数個の充填ブロック３０に対して縦方向または横方向に半幅ずれて２個の充填ブロック３０を跨ぐように配列する。また、第１段目を構成する充填ブロック３０の頂板３６の穴３６Ｈに第２段目のハーフ充填ブロック４０の円筒部３６Ｅを挿入すると共に第１段目を構成する充填ブロック３０の円筒部３６Ｅを第２段目のハーフ充填ブロック４０の頂板３６の穴３６Ｈに挿入して、第１段目の充填ブロック３０と係合する。これにより第１段目の充填ブロック３０の最外周の４つの角部以外の柱部３４の上に、ハーフ充填ブロック４０が充填される。
【００４８】
次に、図９に示されるように、作業者は、クォーター充填ブロック４２を、第１段目の充填ブロック３０の４つの角部上に配置する。第１段目の充填ブロック３０の頂板３６上に円筒部３６Ｅが配置されている場合には、第２段目のクォーター充填ブロック４２として頂板３６に円筒部３６Ｅを有さないクォーター充填ブロック４２Ｂを積層し、第１段目の充填ブロック３０の頂板３６上に円筒部３６Ｅが配置されていない場合（穴３６Ｈのみの場合）には、第２段目のクォーター充填ブロック４２として頂板３６に円筒部３６Ｅを有するクォーター充填ブロック４２Ａを積層する。
【００４９】
積層の際には、クォーター充填ブロック４２Ａを用いる場合には、第１段目の充填ブロック３０の頂板３６の穴３６Ｈに円筒部３６Ｅを挿入し、クォーター充填ブロック４２Ｂを用いる場合には、第１段目の充填ブロック３０の頂板３６の円筒部３６Ｅを穴３６Ｈに挿入して、第１段目の充填ブロック３０と係合する。これにより、図１０に示されるように、第１段目の充填ブロック３０に充填ブロック３０、ハーフ充填ブロック４０、及び、クォーター充填ブロック４２が隙間なく充填される。
【００５０】
次いで、図１１に示されるように、第２段目の充填ブロック３０、ハーフ充填ブロック４０、クォーター充填ブロック４２上に、第３段目を構成する複数個の充填ブロック３０を積み上げる。これらの充填ブロック３０は、第１段目を構成する複数個の充填ブロック３０と同一方向及び同一位置に配置される。すなわち、図１２に示されるように、第３段目の１個の充填ブロック３０は、第２段目に配列された、隣接する４個の充填ブロック３０を跨ぐように配置される。このとき、第２段目の充填ブロック３０、ハーフ充填ブロック４０、クォーター充填ブロック４２の平板部３２に形成された係合凸部３３Ａ、及び、係合孔３３Ｂが、第３段目を構成する充填ブロック３０の平板部３２に形成された係合孔３３Ｂ、及び、係合凸部３３Ａと、各々係合し合うように配置する。これにより、上下の充填ブロック３０が係合される。
【００５１】
以後同様に、偶数段目に積み上げられる充填ブロック３０、ハーフ充填ブロック４０、クォーター充填ブロック４２は、２段目の充填ブロック３０、ハーフ充填ブロック４０、クォーター充填ブロック４２と同一方向及び同一位置に配置され、奇数段目に積み上げられる充填ブロック３０は、１段目の充填ブロック３０と同一方向及び同一位置に配置される。このようにして充填ブロック３０、ハーフ充填ブロック４０、クォーター充填ブロック４２をピットＰ（雨水貯留槽１０）の深さに応じた段数だけ積み上げることにより、充填ブロック３０で構成される積層充填ブロック群６０、ハーフ充填ブロック４０で構成される端辺充填ブロック群６２、クォーター充填ブロック４２で構成される角部充填ブロック群６４により、図１に示されるように、ピットＰ内に雨水貯留槽充填構造１８が構築される。
【００５２】
作業者は、ピットＰ内に雨水貯留槽充填構造１８を構築した後、雨水貯留槽充填構造１８の上面側を遮水シート２０により隙間なく覆うと共に、必要な配管作業等を行った後に、雨水貯留槽充填構造１８の上側を土により埋め戻して覆土層２２を形成する。また敷地の地表面は、必要に応じてコンクリート、アスファルト等の舗装材により舗装され、又はブロック等が敷きつめられる。
【００５３】
（雨水貯留槽の作用）
【００５４】
次に、上記のように構成された雨水貯留槽１０の作用について説明する。
【００５５】
雨水貯留槽１０が設置された敷地では、雨が降ると敷地の地表面から流入桝１２内に雨水が一旦流入し、流入桝１２内に蓄えられた雨水が流入管２６を通して雨水貯留槽１０内へ流入する。このとき、流入桝１２内の水位がオーバフロー管２８の接続部よりも高くなると、流入桝１２内の雨水がオーバフロー管２８を通して流出桝１４へ直接流れ出し、流入桝１２から雨水が溢れることを防止している。
【００５６】
雨水貯留槽１０内へ流入した雨水は、雨水貯留槽１０と流出桝１４との間に設けられたオリフィス（図示省略）を通して雨水貯留槽１０から流出桝１４へ流れ出る。オリフィスは、雨水の流通量が流出桝１４に接続されたオリフィス管２５における雨水の流通量とバランスするように、水の流通量を制限している。また雨水貯留槽１０からの雨水の流出量を超える雨水が雨水貯留槽１０内へ継続的に流れ込み、雨水貯留槽１０が満水近くになると、雨水貯留槽１０内の雨水が流出桝１４内へオーバフローし、雨水貯留槽１０内から雨水が溢れることが防止される。
【００５７】
流出桝１４内へ流入した雨水は、オリフィス管２５を通して通水管、排水用の暗渠、下水道等の排水経路へ流れ出し、最終的に河川、海等へ放流される。またオリフィス管２５における雨水の流通量を超える雨水が流出桝１４内へ継続的に流れ込み、流出桝１４が満水近くになると、流出桝１４内の雨水がオーバフロー管２７を通って排水経路へ流れ出し、流出桝１４内から雨水が溢れることが防止される。
【００５８】
上記のような雨水貯留槽１０によれば、その内容積を敷地面積に応じて設定することにより、敷地に降った雨が地表面から直接、河川、下水等へ流れ込むことがなくなり、敷地面積に対応する量の雨水を雨水貯留槽１０内へ一旦蓄えた後、雨水を雨水貯留槽１０内から序々に雨水が河川、下水等へ流出させることができるので、短時間に多量の雨が降った場合（集中豪雨時）にも、河川、下水に許容流水量を超える雨水が流れる込むことを防止し、冠水、河川の氾濫等の水害を引き起こすことを効果的に防止できる。
【００５９】
また、本実施形態では、中空の充填ブロック３０は、上面からみて正方形状なので、雨水貯留槽充填構造１８の土圧に対する異方性を低減することができる。
【００６０】
また、充填ブロック３０は、図１３に示されるように、隣り合う上下方向で、互いに縦横に半幅ずれるように配列されて積層されている。したがって、柱部３４同士が鉛直方向に連続するので、鉛直方向の強度を高くすることができる。また、水平方向に隣り合う充填ブロック３０は、上下の充填ブロック３０によって連結され、充填ブロック３０が互いにかみ合うように配置されると共に、水平方向に隣り合う充填ブロック３０同士の連結部分が上下方向で分散される。これにより、連結部分が上下方向で同じ位置に配置されている場合と比較して、せん断力ＦＨによるモーメントまたは応力の集中を抑制することができる。
【００６１】
また、本実施形態では、雨水貯留槽充填構造１８を構成する、ハーフ充填ブロック４０及びクォーター充填ブロック４２は、充填ブロック３０を２分割または４分割した形状とされているので、ハーフ充填ブロック４０及びクォーター充填ブロック４２用の金型などを必要とせず、簡易に製造することができる。
【００６２】
また、本実施形態では、雨水貯留槽充填構造１８は、上下方向に充填ブロック３０の平板部３２同士が向き合うように、または、充填ブロック３０の頂板３６同士が向き合うように積層されている。したがって、上下の充填ブロック３０の境界部分において、鉛直方向の圧力に対する強度を高くすることができる。
【００６３】
なお、本実施形態では、充填ブロック３０の柱部３４を４本設けた例について説明したが、柱部３４は、平板部３２の一辺に沿った本数が偶数になるものであれば、他の本数であってもよい。例えば、図１４に示すように、一辺に沿った本数を４本として、合計で１６本の柱部３４としてもよい。
【００６４】
また、本実施形態では、充填ブロック３０を、上下方向に、頂板３６同士または平板部３２同士を対向させて配置したが、すべての充填ブロック３０を頂板３６が上側となるように配置してもよい。この場合には、平板部３２に孔３２を設けない構成とし、上下の充填ブロックは、平板部３２と頂板３６とが対向する配置とすればよい。
【符号の説明】
【００６５】
１０   雨水貯留槽
１８   雨水貯留槽充填構造
３２   平板部
３３Ｂ 係合孔
３３Ａ 係合凸部
３４   柱部
３６Ｅ 円筒部
３６Ｈ 穴
３６   頂板
３８   リブ
４０   ハーフ充填ブロック
４２   クォーター充填ブロック
６０   積層充填ブロック群
６２   端辺充填ブロック群
６４   角部充填ブロック群
Ｐ     ピット
【図１】
2012057441.tif 000003
【図２】
2012057441.tif 000004
【図３】
2012057441.tif 000005
【図４】
2012057441.tif 000006
【図５】
2012057441.tif 000007
【図６】
2012057441.tif 000008
【図７】
2012057441.tif 000009
【図８】
2012057441.tif 000010
【図９】
2012057441.tif 000011
【図１０】
2012057441.tif 000012
【図１１】
2012057441.tif 000013
【図１２】
2012057441.tif 000014
【図１３】
2012057441.tif 000015
【図１４】
2012057441.tif 000016